(57)【要約】      （修正有）【課題】時間および位置に基づいて、取り込まれたデジタルメディアにアクセスするためのシステムおよび方法を提供する。【解決手段】デジタルメディアは、時間および位置の情報に関連付けられる。メディアは、そのメディアが取り込まれた場所に関する地理的表現およびそのメディアが取り込まれた時刻の表示とともに提示される。【選択図】図３Ａ
2010079892.tif 000002
【特許請求の範囲】
【請求項１】
メディアを提示するための方法であって、
入力デバイスを介して、特定の時間および時間範囲の少なくとも１つの選択を受信するステップと、
前記選択された時間または前記時間範囲に少なくとも部分的に基づいて表示される位置を地理的領域内に表示するステップと、
前記選択された時間または前記時間範囲に少なくとも部分的に基づいて表示される前記メディアを提示するステップと、を含む方法。
【請求項２】
前記特定の時間または前記時間範囲の前記選択が、スライダ、ノブ、レバーおよび入力デバイスのうち少なくとも１つを使用して実行される、請求項１に記載の方法。
【請求項３】
前記特定の時間または前記時間範囲の前記選択が、カレンダーの日付を選択すること、時計の時刻を設定すること、およびユーザインターフェースに時刻を入力することのうち少なくとも１つによって実行される、請求項１に記載の方法。
【請求項４】
前記時間範囲に少なくとも部分的に基づいて表示される以前の位置の軌跡／履歴を表示するステップをさらに含む、請求項１に記載の方法。
【請求項５】
提示された前記メディアが、映像、写真および音声記録のうち少なくとも１つを含む、請求項１に記載の方法。
【請求項６】
前記表示するステップが、特定領域の地図、描画／スケッチおよび写真のうち１つを表示するステップをさらに含む、請求項１に記載の方法。
【請求項７】
メディアを提示するためのシステムであって、
特定の時間および時間範囲の少なくとも１つの選択を受信するための手段と、
前記特定の時間または前記時間範囲に少なくとも部分的に基づいて表示される地理的領域内の位置を表示するための手段と、
前記特定の時間または前記時間範囲に少なくとも部分的に基づいて表示されるメディアを提示するステップと、を含むシステム。
【請求項８】
表示するための前記手段が、前記特定の時間または前記時間範囲に少なくとも部分的に基づいて表示される以前の位置の軌跡を表示するように構成される、請求項７に記載のシステム。
【請求項９】
地理的領域内の位置を表示するための前記手段が、特定領域の地図、描画／スケッチおよび写真のうち１つを含む、請求項７に記載のシステム。
【請求項１０】
提示された前記メディアが、映像、写真および音声記録のうち少なくとも１つを含む、請求項７に記載のシステム。
【請求項１１】
選択を受信するための前記手段が、スライダ、ノブ、レバーおよび入力デバイスのうち少なくとも１つを含む、請求項７に記載のシステム。
【請求項１２】
選択を受信するための前記手段が、カレンダー、時計の文字盤および時刻選択ツールのうち少なくとも１つを含む、請求項７に記載のシステム。
【発明の詳細な説明】
【技術分野】
【０００１】
本発明は、一般に、デジタルメディアにアクセスするためのアプリケーションに関する。
【背景技術】
【０００２】
我々の社会における電子デバイスは、ここ数年で急激に増えてきた。以前はこのような電子デバイスは一般的ではなかったが、現在は社会の大部分の人々が、少なくとも１つの電子デバイスに対するアクセスを有するか、あるいは、少なくとも１つの電子デバイスを所有している。さらに、たくさんの様々なタイプのコンピューティングデバイスが作り出されてきた。携帯情報端末（ＰＤＡ）、スマートフォン、携帯メディアプレーヤおよびノート型パソコンはすべて、主要なアイテムとなった。
【０００３】
もっとも一般的な電子デバイスの１つは、デジタルカメラである。従来はフィルムやテープを使用して、写真や映像を記録してきた。エレクトロニクス分野の発展により、現在、フィルムのロールまたはテープを使用せずに、高品質の画像および映像を取り込むことができる。現在は、複数のフィルムや複数のカセットテープを持ち運ぶかわりに、ユーザはメモリカードまたはハードディスクに画像および映像を保存することができる。これにより、画像および映像を保存するのに必要とされる物理的スペースの量が大幅に少なくなる。以前は、画像および映像を保管し保存するために、たくさんの写真アルバムやカセットテープのコレクションを有することが、メディアにアクセスしたり共有したりすることを難しくしていた。デジタルカメラの出現で、ユーザがはるかにコンパクトなスペースでメディアを容易に保存し共有できるメモリカードまたはハードドライブに、画像および映像を保存することができる。しかしながら、ユーザが取り込むメディアの量が増えるにつれて、それらのメディアを管理しアクセスすることがより難しくなる。デジタルカメラおよびデジタルビデオレコーダによって生成されたメディアは、一般に、非記述的なファイル名とタイムスタンプを与えられる。通常、これらの情報を使用して、ユーザが閲覧したい特定のメディアにアクセスするのは困難である。ユーザは、一般に、より簡単に特定のメディアにアクセスするために、保存されたメディアを手動で並べ替えるという煩雑な作業を行う必要がある。
【発明の概要】
【発明が解決しようとする課題】
【０００４】
メディアにアクセスし、メディアを閲覧し、メディアを共有するための、より単純でより自然なシステムおよび方法が必要とされる。
【課題を解決するための手段】
【０００５】
一実施形態において、本発明は、メディアを提示するための方法を含む。この方法は、電子インターフェースを介して、特定時刻および時間範囲の少なくとも１つを選択するステップと、特定時刻または時間範囲に少なくとも部分的に基づいて、地理的領域内の位置を表示するステップと、選択された時刻または時間範囲に少なくとも部分的に基づいて表示されるメディアを提示するステップと、を含む。
【０００６】
他の実施形態において、本発明は、メディアを提示するためのシステムを含む。このシステムは、特定時刻および時間範囲の少なくとも１つを指定するように構成された第１のグラフィカルユーザインターフェースコンポーネントと、第１のグラフィカルユーザインターフェースコンポーネントによって指定された特定時刻または時間範囲に少なくとも部分的に基づいて、地理的領域内の位置を指定するように構成された第２のグラフィカルユーザインターフェースコンポーネントと、第１のグラフィカルユーザインターフェースコンポーネントによって指定された特定時刻または時間範囲に少なくとも部分的に基づいて、メディアを表示するように構成された第３のグラフィカルユーザインターフェースコンポーネントと、を含む。
【０００７】
他の実施形態において、本発明は、メディアを提示するためのシステムを含む。このシステムは、画像、映像および音声のうち少なくとも１つを提示するように構成された表示ユニットと、特定時刻および時間範囲の少なくとも１つの選択を指定するユーザインプットを受け入れるように構成されるユーザ入力モジュールと、ユーザ入力を処理し、特定時刻または時間範囲に少なくとも部分的に基づいて、地理的領域内の位置を表示し、特定時刻または時間範囲に少なくとも部分的に基づいて、表示ユニットにメディアを提示するように構成されたプロセッサと、を含む。
【０００８】
他の実施形態において、本発明は、メディアを提示するためのシステムを含む。このシステムは、特定時刻および時間範囲の少なくとも１つを選択するための手段と、特定時刻または時間範囲に少なくとも部分的に基づいて、地理的領域内に位置を表示するための手段と、特定時刻または時間範囲に少なくとも部分的に基づいて、メディアを提示するための手段と、を含む。
【図面の簡単な説明】
【０００９】
【図１Ａ】コンピューティングデバイスのブロック図である。
【図１Ｂ】メディアにアクセスし、そのメディアを閲覧するために使用することができる諸システムの例を示す図である。
【図１Ｃ】メディアにアクセスし、そのメディアを閲覧するために使用することができる諸システムの例を示す図である。
【図１Ｄ】メディアにアクセスし、そのメディアを閲覧するために使用することができる諸システムの例を示す図である。
【図１Ｅ】メディアにアクセスし、そのメディアを閲覧するために使用することができる諸システムの例を示す図である。
【図２Ａ】メディアを取り込むことができるデバイスの例を示す図である。
【図２Ｂ】メディアを取り込むことができるデバイスの例を示す図である。
【図２Ｃ】メディアを取り込むことができるデバイスの例を示す図である。
【図２Ｄ】様々な実施形態により使用されうるシステムのブロック図である。
【図３Ａ】第１の実施形態によるグラフィカルユーザインターフェースのシーケンス図である。
【図３Ｂ】第１の実施形態によるグラフィカルユーザインターフェースのシーケンス図である。
【図３Ｃ】第１の実施形態によるグラフィカルユーザインターフェースのシーケンス図である。
【図３Ｄ】第１の実施形態によるグラフィカルユーザインターフェースのシーケンス図である。
【図４】第２の実施形態によるグラフィカルユーザインターフェースの図である。
【図５】第３の実施形態によるグラフィカルユーザインターフェースの図である。
【図６】第４の実施形態によるグラフィカルユーザインターフェースの図である。
【図７】第５の実施形態によるグラフィカルユーザインターフェースの図である。
【図８Ａ】アクセスするためのプロセスの一実施形態のフローチャートである。
【図８Ｂ】アクセスするためのプロセスの別の実施形態のフローチャートである。
【発明を実施するための形態】
【００１０】
デジタルカメラと位置認知システムとの統合により、ユーザは現在、メディアが取り込まれた時間と位置を相関させることができる。この付加された機能により、ユーザは、位置によって、また、時間によってメディアを並べ替えることができるようになる。しかしながらメディアが位置によって並べ替えられていても、そのメディアを並べ替え、管理し、そのメディアにアクセスすることは依然として難しい。メディアが時間によって並べ替えられたか、または位置によって並べ替えられたかにかかわらず、人が自分の休暇について話すのと同じような自然な方法で、メディアにアクセスし、メディアを提示するのは難しい。ユーザは、メディアを提示しメディアにアクセスするためのより自然でより単純なシステムを必要とする。その自然で単純なシステムにより、ユーザは、取り込まれたメディアを、そのメディアが取り込まれた特定の時刻および場所に相関させる自然でストーリーベースの様式で、自分のメディアにアクセスし、そのメディアを共有できるようになる。
【００１１】
以下の詳細な説明は、具体的な諸実施形態に関する様々な説明を提示するものである。しかしながら、本発明は、特許請求の範囲により規定され網羅されるように、多くの異なる方法で実施することができる。本明細書中全体を通して、同様の部分は同様の番号で指示される図面が参照される。
【００１２】
本明細書で使用される用語は、単に、本発明の特定の具体的な諸実施形態の詳細な説明と併せて利用されるだけなので、限定的または制限的に解されること全く意図するものではない。さらに、諸実施形態はいくつかの新規な特徴を含みうるが、そのうちのいずれの１つもそれだけで望ましい挙動を保証するものでもなく、あるいは本明細書に記載された本発明を実施するために必須のものでもない。
【００１３】
本発明のシステムは、様々なソフトウェアモジュール、コンポーネント、汎用プロセッサなどのハードウェア、ＡＳＩＣ、ＦＰＧＡ、および以下で論じるようなアプリケーションを含む。当業者には理解されるように、モジュールはそれぞれ、様々なサブルーチン、プロシージャ、定義ステートメントおよびマクロを含む。モジュールはそれぞれ、通常、別々にコンパイルされ、単一の実行可能プログラムにリンクされる。したがって、各モジュールに関する以下の説明を、好ましいシステムの機能を説明するための便宜のために使用する。したがって、各モジュールによって行われるプロセスは、その他のモジュールのうち１つに任意に再分配され、単一モジュールに組み合わされ、または、たとえば共有可能なダイナミックリンクライブラリにおいて利用可能にされる。
【００１４】
ソフトフェアモジュール、コンポーネント、ハードウェアおよびアプリケーションは、たとえば、Ｃ、Ｃ＋＋、ＢＡＳＩＣ、Ｖｉｓｕａｌ  Ｂａｓｉｃ、Ｐａｓｃａｌ、Ａｄａ、Ｊａｖａ（登録商標）、ＨＴＭＬ、ＸＭＬ、またはＦＯＲＴＲＡＮなどのプログラム言語で書くことができ、また、Ｗｉｎｄｏｗｓ（登録商標）、Ｍａｃｉｎｔｏｓｈ、ＵＮＩＸ（登録商標）、Ｌｉｎｕｘ、ＶｘＷｏｒｋｓまたはその他のオペレーティングシステムなどのオペレーティングシステム上で実行することができる。Ｃ、Ｃ＋＋、ＢＡＳＩＣ、Ｖｉｓｕａｌ  Ｂａｓｉｃ、Ｐａｓｃａｌ、Ａｄａ、Ｊａｖａ（登録商標）、ＨＴＭＬ、ＸＭＬ、またはＦＯＲＴＲＡＮは、産業界標準のプログラミング言語であり、市販の多くのコンパイラを使用して、そのプログラミング言語用に実行可能なコードを作成することができる。さらに、システムは、ソフトウェア、ハードウェア、またはハードウェアとソフトフェアの両方の組合せを含む。
【００１５】
図１Ａは、コンピューティングデバイス１００のブロック図である。コンピューティングデバイス１００は、プロセッサ１０４、メモリ１０８、入力モジュール１１２、表示モジュール１０６およびスピーカ１１６を含むことができる。プロセッサ１０４は、ＡＲＭ、Ｐｅｎｔｉｕｍ（登録商標）、Ｐｅｎｔｉｕｍ  ＩＩ（登録商標）、Ｐｅｎｔｉｕｍ  ＩＩＩ（登録商標）、Ｐｅｎｔｉｕｍ  ＩＶ（登録商標）、Ｐｅｎｔｉｕｍ（登録商標）  Ｐｒｏ、８０５１ＭＩＰＳ（登録商標）、Ｐｏｗｅｒ  ＰＣ（登録商標）、ＡＬＰＨＡ（登録商標）、特定用途向け集積回路（ＡＳＩＣ）などの任意の汎用のシングルチップマイクロプロセッサまたはマルチチッププロセッサ、あるいは、デジタル信号プロセッサ、マイクロコントローラまたはプログラム可能なゲートアレイなどの任意の特定用途向けのマイクロプロセッサを含むことができる。メモリ１０８は、ハードディスク、ＲＡＭ、ＲＯＭ、メモリカード、ＣＤ−ＲＯＭ、ＤＶＤ−ＲＯＭ、またはその他のデータを保存するための手段を含むことができる。入力モジュール１１２は、キーボード、マウス、タッチパッド、タッチスクリーン、レバー、ノブ、ダイアル、スライダ、またはその他のユーザインプットを提供するための手段を含むことができる。表示モジュール１０６は、ＬＣＤモニタ、ＣＲＴモニタ、プラズマモニタ、タッチスクリーン、またはその他のメディアを表示するための手段を含むことができる。スピーカ１１６は、スピーカ、ヘッドフォン、またはその他の音声出力を再生するための手段を含むことができる。ネットワークインターフェース１２０は、有線ネットワークカード、無線ネットワークカード、またはその他のネットワークと通信するための手段を含むことができる。ネットワークインターフェース１２０は、ローカルエリアネットワーク（ＬＡＮ）、広域ネットワーク（たとえば、インターネット）、またはその他の形態のネットワークに接続することができる。ネットワークインターフェース１２０は、有線技術および／または無線技術にしたがって信号を受信することができる。有線技術には、イーサネット（登録商標）、電話（たとえばＰＯＴＳ）およびファイバー光学システムが含まれるが、これらに限定されるものではない。無線技術には、符号分割多元接続（ＣＤＭＡまたはＣＤＭＡ２０００）通信システム、ＧＳＭ／ＧＰＲＳ（汎用パケット無線サービス）／ＥＤＧＥ（ｅｎｈａｎｃｅｄ  ｄａｔａ  ＧＳＭ  ｅｎｖｉｒｏｎｍｅｎｔ）、またはＩＥＥＥ  ８０２．１１ｂシステムが含まれるが、これらに限定されるものではない。
【００１６】
図１Ｂはシステム１５０の一例を示す図であり、このシステム１５０を使用して、予め保存されたデジタルメディアにアクセスし、そのデジタルメディアを閲覧することができる。システム１５０自体のメモリ内に、デジタルメディアを保存することができる。また、デジタルメディアを少なくとも１つのサーバに保存し、有線接続または無線接続を介してデジタルメディアにアクセスしてもよい。有線接続には、シリアルケーブル、イーサネット（登録商標）ケーブルまたはＵＳＢケーブルが含まれるが、これらに限定されるものではない。無線接続には、ＩＥＥＥ  ８０２．１１ｂなどのＷｉＦｉ接続、符号分割多元接続（ＣＤＭＡもしくはＣＤＭＡ２０００）またはＧＳＭ／ＧＰＲＳ（汎用パケット無線サービス）／ＥＤＧＥなどのセルラ接続、Ｂｌｕｅｔｏｏｔｈ接続、あるいは赤外線接続が含まれるが、これらに限定されるものではない。システム１５０は、ディスプレイ１５４を有する。ディスプレイ１５４は、ＣＲＴモニタ、ＬＣＤモニタまたはタッチスクリーンとすることができる。ディスプレイ１５４を使用して、メディアを閲覧し、提示することができる。また、システム１５０は、キーボード１５８、マウスパッド１６２、レバー１６６およびノブ１７０も含む。キーボード１５８、マウスパッド１６２、レバー１６６およびノブ１７０を使用して、ユーザ入力を提供することができる。
【００１７】
図１Ｃは、システム１８０の別の例を示す図であり、このシステム１８０を使用して、予め保存されたデジタルメディアにアクセスし、そのデジタルメディアを閲覧することができる。システム１８０は、ＰＤＡを含むことができる。システム１８０自体のメモリ内に、デジタルメディアを保存することができる。また、デジタルメディアを少なくとも１つのサーバに保存し、有線接続または無線接続を介してデジタルメディアにアクセスしてもよい。有線接続には、シリアルケーブル、イーサネット（登録商標）ケーブルまたはＵＳＢケーブルが含まれるが、これらに限定されるものではない。無線接続には、ＩＥＥＥ  ８０２．１１ｂなどのＷｉＦｉ接続、符号分割多元接続（ＣＤＭＡもしくはＣＤＭＡ２０００）またはＧＳＭ／ＧＰＲＳ（汎用パケット無線サービス）／ＥＤＧＥなどのセルラ接続、Ｂｌｕｅｔｏｏｔｈ接続、あるいは赤外線接続が含まれるが、これらに限定されるものではない。システム１８０は、タッチスクリーンディスプレイ１８１を有する。タッチスクリーンディスプレイ１８１を使用して、メディアを閲覧し、提示することができる。タッチスクリーンディスプレイ１８１を使用して、スタイラス、またはタッチスクリーンに入力を提供するためのその他の器具を介して、ユーザ入力を提供することもできる。システム１８０はまた、メディアを表示し、ユーザ入力を受け入れることができる、メディアプレーヤデバイス、携帯電話およびその他の電子デバイスなどの他のタイプの携帯用デバイスを含んでもよい。
【００１８】
図１Ｄは、システム１８５の一例を示す図であり、このシステム１８５を使用して、予め保存されたデジタルメディアにアクセスし、そのデジタルメディアを閲覧することができる。システム１８５は、スマートフォンを含むことができる。システム１８５自体のメモリ内に、デジタルメディアを保存することができる。また、デジタルメディアを少なくとも１つのサーバに保存し、有線接続または無線接続を介してデジタルメディアにアクセスしてもよい。有線接続には、シリアルケーブル、イーサネット（登録商標）ケーブルまたはＵＳＢケーブルが含まれるが、これらに限定されるものではない。無線接続には、ＩＥＥＥ  ８０２．１１ｂなどのＷｉＦｉ接続、符号分割多元接続（ＣＤＭＡもしくはＣＤＭＡ２０００）またはＧＳＭ／ＧＰＲＳ（汎用パケット無線サービス）／ＥＤＧＥなどのセルラ接続、Ｂｌｕｅｔｏｏｔｈ接続、あるいは赤外線接続が含まれるが、これらに限定されるものではない。システム１８５は、ディスプレイ１８６を有する。ディスプレイ１８６は、ＬＣＤディスプレイまたはタッチスクリーンディスプレイとすることができる。ディスプレイ１８６を使用して、メディアを閲覧し、提示することができる。システム１８５は、キーボード１８７を含み、それを使用してユーザ入力を提供することもできる。
【００１９】
図１Ｅは、システム１９０の一例を示す図であり、このシステム１９０を使用して、予め保存されたデジタルメディアにアクセスし、そのデジタルメディアを閲覧することができる。システム１９０は、パーソナルコンピュータなどのパーソナルコンピューティングデバイスを含むことができる。システム１９０自体のメモリ内に、デジタルメディアを保存することができる。また、デジタルメディアを少なくとも１つのサーバに保存し、有線接続または無線接続を介してデジタルメディアにアクセスしてもよい。有線接続には、シリアルケーブル、イーサネット（登録商標）ケーブルまたはＵＳＢケーブルが含まれるが、これらに限定されるものではない。無線接続には、ＩＥＥＥ  ８０２．１１ｂなどのＷｉＦｉ接続、符号分割多元接続（ＣＤＭＡもしくはＣＤＭＡ２０００）またはＧＳＭ／ＧＰＲＳ（汎用パケット無線サービス）／ＥＤＧＥなどのセルラ接続、Ｂｌｕｅｔｏｏｔｈ接続、あるいは赤外線接続が含まれるが、これらに限定されるものではない。システム１９０は、ディスプレイ１９１を有する。ディスプレイ１９１は、ＣＲＴモニタ、ＬＣＤモニタまたはタッチスクリーンとすることができる。ディスプレイ１９１を使用して、メディアを閲覧し、提示することができる。システム１９０は、キーボード１９２、マウス１９３を含み、それらを使用してユーザ入力を提供することもできる。
【００２０】
図２Ａ〜２Ｃは、メディアを取り込むことができるデバイスの例を示す。これらのメディアキャプチャデバイスは、画像、映像および音声記録のうち少なくとも１つを取り込むことができる。図２Ａは、デジタルカメラ２０２の図である。デジタルカメラ２０２は、画像、映像および音声を取り込み可能とすることができる。一実施形態では、デジタルカメラ２０２は、統合型ＧＰＳシステム用のアンテナ２０４を有する。デジタルカメラ２０２は、ＧＰＳ以外の他のタイプの位置認知システムを使用してもよい。位置認知システムは、デジタルカメラ２０２と統合してもよく、あるいは、デジタルカメラ２０２に有線接続または無線接続を介して接続することができる別個のユニットとしてもよい。
【００２１】
図２Ｂは、メディアキャプチャ機能を有する携帯電話２１０を示す。一実施形態では、携帯電話２１０は、画像と映像の両方を取り込むことができる統合型カメラを有する。他の実施形態では、携帯電話２１０は統合型ＧＰＳシステム用のアンテナ２１４も有する。
【００２２】
図２Ｃは、取付型カメラ２２０を示す。取付型カメラ２２０は定置式なので、定位置に固定されると、その位置を判定するための位置認知システムは必要ない。しかしながら、取付型カメラ２２０は、ＧＰＳシステムなどの統合型位置認知システム含んでもよい。取付型カメラ２２０はテーマパーク内で使用してもよく、またテーマパーク内の人気のあるアトラクションの周囲に配置してもよい。複数の取付型カメラ２２０を使用すると、ユーザは、いろいろな方法で取り込まれたメディアに自分自身を関連付けることができる。たとえば、ユーザがテーマパークのアトラクションに乗っているとき、取付型カメラ２２０は、アトラクション中のいくつかの地点で、ユーザの写真を撮ることができる。ユーザは、図１Ｂに示すようなシステムを使用して、取付型カメラが撮影した全てのメディアにアクセスし、自分に関連するメディアを選択することができる。ユーザは、様々な方法で、メディアを自分自身に関連付けることができる。ユーザは、自分自身を識別する無線周波数識別（ＲＦＩＤ）カードを有することができる。あるいは、ユーザは、自分自身を識別するアカウントに対してユーザ名やパスワードを有してもよい。次いで、ユーザは、図１Ｂに示すシステムを使用して、自分に関連する全てのメディアにアクセスすることができる。
【００２３】
図２Ｄは、様々な実施形態で使用することができるシステムのブロック図である。図２Ａ〜２Ｃに示すように、様々なデバイスが、画像、映像、音声記録などのメディアを取り込むことができる。メディアキャプチャデバイス２５０は、取り込まれたメディアを、ネットワーク２５４を介してサーバ２５８に送信することができる。後でアクセスし、閲覧するために、取り込まれたメディアをサーバ２５８に保存する。パーソナルコンピュータ２６２は、様々な実施形態を使用して、サーバ２５８に保存されたメディアにアクセスすることができる。（図１Ｂに示すように）メディア閲覧キオスク２６６を使用して、サーバ２５８に保存されたメディアにアクセスすることもできる。様々なシステム構成が、本明細書に記載された方法およびシステムを使用しうることに留意されたい。たとえば、メディアキャプチャデバイス２６２を、パーソナルコンピュータ２６２に直接接続することもでき、メディアをサーバ２５８ではなく、パーソナルコンピュータ２６２に直接保存してよい。パーソナルコンピュータ２６２を、メディアにアクセスするために記述された方法とすることもできる。本願は、本明細書に記載された方法およびシステムによってメディアにアクセスし、メディアを管理することができるシステムのタイプに、なんら限定されるものではない。
【００２４】
図３Ａ〜３Ｄは、第１の実施形態によるグラフィカルユーザインターフェースのシーケンスを示す。図３Ａ〜３Ｄは、グラフィカルユーザインターフェースを表し、ユーザはこのグラフィカルユーザインターフェースを使用して、メディアにアクセスし、他のユーザにそのメディアを提示することができる。たとえば、ある一定の期間、ユーザが世界を旅行する場合がある。ユーザは、旅行中に、位置認知型メディアキャプチャデバイスを使用して、様々な画像、映像および音声記録を取り込んだ。位置認知型メディアキャプチャデバイスは、メディアを取り込み、時間および位置を取り込まれたメディアに関連付ける。図１Ｂに示すものなどのシステムを使用して、メディアをサーバに保存し、あるいはユーザのパーソナルコンピュータまたはその他のデバイスに保存し、そのメディアに遠隔的にアクセスすることができる。
【００２５】
図３Ａ〜３Ｄに示す実施形態では、ユーザは、世界を旅行している間に取り込んだメディアを提示している。図３Ａ〜３Ｄに示された旅行のタイムラインの一部分は、図３Ａでワシントン州シアトルから始まり、図３Ｄのカリフォルニア州アナハイムのディズニーランドに移動している。ユーザは、旅行中に取り込んだメディアにアクセスし、そのメディアを友人や家族と共有したいと思うことがある。選択された時間または時間範囲とともに、地理的位置を使用して、ユーザは、線形でストーリーベースの形式で、メディアを共有し、閲覧することができる。たとえば、ユーザは、自分の出発地点たとえば空港を出発することによって、旅行のストーリーを開始することができる。ユーザが、空港にいた時刻または時間範囲を選択すると、空港にいる間に取り込まれたメディアを表示することができる。ユーザが旅行中、適時に移動すると、ユーザはある位置から別の位置へと移動し、ユーザの地理的位置が変化する。それに応じて、図３Ａ〜３Ｄは、ユーザの旅行のタイムラインを示し、地理的位置が更新され、提示されるメディアがこの旅行の長さにわたってユーザが進むのに対応して更新されることを示している。
【００２６】
図３Ａは、一実施形態によるグラフィカルユーザインターフェースを表す。地図３１０は、ユーザの世界旅行の軌跡３１４を表す。一実施形態では、スライドバー３１６は、ユーザの旅行の総時間数を表す。スライダ３１７は、ユーザによって選択された現在時刻を表す。位置インジケータ３１８は、スライダ３１７およびスライドバー３１６によって指定された時間に応じて、メディアが取り込まれた位置を指し示す。選択された時間は、時間情報バー３２０に表示される。情報バー３２０に表示された時間は、様々な形態とすることができる。たとえば、時刻の後に年月日を表示してもよいし、日付だけを表示してもよい。選択された時間に取り込まれたメディアの位置が、位置情報バー３２１に表示される。位置情報バー３２１に表示された位置は、様々な形態とすることができる。たとえば、国、州および都市を表示してもよいし、国と都市のみを表示してもよい。他の実施形態では、対象となる地点を地図３１０上に表示することもできる。これらの対象となる地点は、メディアが取り込まれた、旅行のタイムライン中の位置を含むことができる。これらの対象となる地点は、ユーザによって特定された位置を含んでもよい。対象となる地点を複数設定することによって、ユーザは、対象となる地点を１つ選択し、その地点に関連付けられたメディアを閲覧することができる。
【００２７】
一実施形態では、取り込まれたメディアは、時間データおよび位置データに関係付けられる。時間データは、メディアが取り込まれた時間を含む。位置データは、メディアが取り込まれた位置を含む。時間データの例としては、月、日、年および時刻が挙げられるが、これらに限られるものではない。位置データの例としては、ＧＰＳ座標、経度および緯度、通りの名称、ならびに郵便番号が挙げられるが、これらに限られるものではない。いくつかの実施形態では、位置データを使用して、地図３１０上に軌跡３１４を表示することができる。たとえば、メディアをサンフランシスコなどの特定の都市に関連付けることができる。軌跡３１４は、取り込まれたメディアがその位置に存在するように、地図上をサンフランシスコを通って進む。その他の実施形態では、時間データを使用して、スライドバー３１６をメディアに関連付けられた時間に対応させることができる。たとえば、取り込まれたメディアの時間データを分析して、スライドバー３１６の始点に対応するメディアの最も早い時間とスライドバー３１６の終点に対応するメディアの最も遅い時間とを決定する。
【００２８】
一実施形態では、選択された時間に取り込まれたメディアのプレビューまたはサムネイルをプレビューウィンドウ３３０に表示する。ユーザは、プレビューウィンドウ３３０に表示されたプレビューまたはサムネイルの数を変更することができる。たとえば、ユーザは図３Ａに示す９個のプレビュー画像ではなく、１６個のプレビュー画像を見たいと思うことがある。ウィンドウスライダ３３２により、ユーザは、選択された時間に取り込まれた全てのメディアのプレビューまたはサムネイルをスクロールできるようになる。一実施形態では、選択された時間に対応するメディアのみをプレビューウィンドウ３３０に表示することができる。たとえば、ユーザが旅行に関する２０個の画像を有し、そのうち８個の画像のみが選択された時間に関連付けられている場合、プレビューウィンドウ３３０は選択された時間に関連付けられたその８個の画像のみを表示することができる。他の実施形態では、ユーザは旅行に関するメディアの全てをプレビューウィンドウ３３０にプレビューすることができるが、プレビューウィンドウ３３０を選択された時間に関連付けられたメディアへと下に向かってスクロールすることができる。たとえば、ユーザが旅行に関する３０個の画像を有し、そのうち１０個の画像のみが選択された時間に関連付けられている場合、プレビューウィンドウ３３０をその１０個の画像へと下に向かってスクロールすることができる。しかしながら、ユーザは、ウィンドウスライダ３３２を使用して、プレビューウィンドウ内の３０個全ての画像をスクロールすることもできる。ユーザがプレビューウィンドウ３３０に示された特定のメディアを選択する場合、メディアをメディア閲覧ウィンドウ３３３に表示することができる。その他の実施形態では、ユーザがプレビューウィンドウ３３０から特定のメディアを選択するときに、別個のメディア閲覧アプリケーションを実行することができる。たとえば、ユーザがプレビューウィンドウ３３０の画像を選択する場合、「Ｍｉｃｒｏｓｏｆｔ  Ｐｉｃｔｕｒｅ  ａｎｄ  Ｆａｘ  Ｖｉｅｗｅｒ」などのアプリケーションを実行してメディアを表示することができる。
【００２９】
図３Ａに示す実施形態では、ユーザはスライダ３１７を旅行の開始地点へと移動させている。時間情報バー３２０に表示された時間は、２００７年６月４日午後４：１５である。選択された時間にユーザが取り込んだメディアは、アメリカ合衆国ワシントン州シアトルで取り込まれた。選択された時間の全てに取り込まれたメディアのプレビューを、プレビューウィンドウ３３０に表示する。ユーザが特定のメディアを選択していない場合、選択された時間に取り込まれた第１のメディアをメディア閲覧ウィンドウ３３３に表示する。ユーザが閲覧のために特定のメディアを選択すると、選択されたメディアがメディア閲覧ウィンドウ３３３に表示されることになる。
【００３０】
図３Ａ〜３Ｄに示すように、同じメディアを、選択された時間および時間範囲の全てについて、プレビューウィンドウ３３０および閲覧ウィンドウ３３３に表示する。同じメディアを、プレビューウィンドウ３３０および閲覧ウィンドウ３３３の概念を示すための例として表示する。ユーザが、本明細書に記載されるある特定の実施形態による方法およびシステムを使用するとき、プレビューウィンドウ３３０および閲覧ウィンドウ３３３に表示されたメディアは、ユーザが異なる時間、時間範囲、位置、または地図上の対象となる地点を選択するのにしたがって変化することができる。
【００３１】
その他の実施形態は、対象となる地点または特定の地点を、軌跡３１４中で選択することができる。軌跡３１４中の対象の地点または特定の地点を選択することによって、スライダ３１７、時間情報バー３２０および位置情報バー３２１を更新して、選択された対象の地点または軌跡の地点の時間および位置を反映させることができる。一実施形態では、ユーザは、マウス、キーボードまたはタッチスクリーンなどの入力デバイスを使用して、地図上の対象となる地点を選択することができる。さらに大きなビューから地図の倍率を大きくして、対象のとなる地点の拡大地図を示してもよい。スライダ３１７をスライドバー３１６に沿って移動させ、選択された対象となる地点に関連付けられたメディアに対して対応する時間または時間範囲を示すことができる。また、プレビューウィンドウ３３０を選択された対象となる地点または軌跡中の地点に関するプレビューまたはサムネイルとともに更新することができる。位置インジケータ３１８は、地図上の選択された対象となる地点へと移動させる。
【００３２】
代替実施形態では、地図３１０は軌跡３１４に位置インジケータ３１８を表示することができない。スライダ３１７の位置に対応する位置を示すために、位置インジケータ３１８を使用する代わりに、スライダ３１７がスライドバー３１６中を移動するにつれて、地図上の軌跡３１４を更新することができる。たとえば、図３Ａでは、スライダ３１７がスライダバー３１６上を左から右へと移動するにつれて、軌跡３１４はまず、ワシントン州の開始地点に現れる。軌跡３１４はその後、ユーザがスライダ３１７を左から右へ移動させるにつれて、カリフォルニア州へ、フロリダ州へ、カリブ海へ、日本へと延びる。他の実施形態では、軌跡３１４を選択された対象となる地点まで地図３１０上に表示することができる。
【００３３】
図３Ｂでは、スライダ３１７が、スライドバー３１６に沿って、図３Ａに示すよりも左側に移動している。これは、旅行のタイムラインに沿った時間の遷移に対応している。図３Ａでは、ユーザは２００７年６月４日にワシントン州シアトルにいた。図３Ｂでは、時間は２００７年６月６日午後２：１０であり、ユーザはカリフォルニア州サンフランシスコに移動している。メディアプレビューウィンドウ３３０を更新して、サンフランシスコで取り込まれたメディアが提示される。世界のビューから北アメリカ大陸のビューへと、地図３１０の倍率が大きくされている。位置インジケータ３１８は、軌跡３１４上をサンフランシスコへと移動している。初期設定のまたはユーザ選択された画像がメディア閲覧ウィンドウ３３３に表示される。代替実施形態では、スライダ３１７がスライドバー３１６に沿って移動するにつれて、地図の倍率を大きくしたり小さくしたりしなくてもよい。スライダ３１７が移動すると、地図３１０は同じビューを表示し、位置インジケータ３１８または軌跡３１４を簡単に更新することができる。
【００３４】
一実施形態では、ユーザがスライダ３１７を移動させると、または地図３１０の対象となる位置または地点を選択すると、自動的に地図３１０の倍率を変えるように設定することができる。たとえば図３Ｂでは、ユーザが対象の地点「サンフランシスコ」を選択すると、サンフランシスコの拡大ビュー（たとえば、サンフランシスコの地図）へと、地図の倍率を変えることができる。他の実施例では、ユーザがスライダ３１７をスライドバー３１６に沿って移動させると、位置インジケータ３１８が選択された地点または対象となる地点に達したときに、地図の倍率を自動的に変えることができる。たとえば、位置インジケータ３１８を、選択された時間に関してシアトルとサンフランシスコの間に位置付けることができる。ユーザがスライダ３１７を移動させると、位置インジケータ３１８をサンフランシスコに移動させることができる。次いで、サンフランシスコの拡大地図へと地図３１０の倍率を変えることができる。ユーザがスライダ３１７をさらに移動させると、位置インジケータ３１８は軌跡３１４上のサンフランシスコを通り過ぎて移動し、北アメリカ大陸のビューへと地図３１０の倍率を小さくすることができる。
【００３５】
他の実施形態では、ユーザが、手動で、さらに近くに、またはさらに遠くに地図の倍率を変えることができる。たとえば、ユーザは、地図３１０上でサンフランシスコを選択することができ、サンフランシスコの地図へと手動で倍率を変えることができる。あるいは、ユーザは、地図をストリートレベルのビューから州レベルのビューへと倍率を小さくすることができる。
【００３６】
一実施形態では、ユーザは、地図３１０の最大変倍レベルまたは最小変倍レベルを設定することができる。たとえば、ユーザは、大陸レベルのビューよりもさらに大きいビューへと地図の倍率を小さくしたり、都市のビューよりも狭いビューへと地図の倍率を大きくしたり決してしないように、特定することができる。他の実施形態では、地図３１０の最小変倍レベルおよび最大変倍レベルを、システムにより自動的に決定することができる。
【００３７】
図３Ｃでは、スライドバー３１６に沿って、スライダ３１７を図３Ｂよりもさらに左へ移動させている。これは、旅行のタイムラインに沿う、別の時間の遷移に対応している。図３Ｂでは、ユーザは、２００７年６月６日にカリフォルニア州サンフランシスコにいた。図３Ｃでは、時間は、２００７年６月８日午後３：２５であり、ユーザはカリフォルニア州アナハイムに移動している。北アメリカ大陸のビューからカリフォルニア州のビューへと、地図３１０の倍率が大きくなっている。メディアプレビューウィンドウ３３０を更新して、アナハイムで取り込まれたメディアが提示される。位置インジケータ３１８は、軌跡３１４上をアナハイムへと移動している。初期設定のまたはユーザ選択された画像をメディア閲覧ウィンドウ３３３に表示する。
【００３８】
図３Ｄでは、スライダ３１７は、スライドバー３１６に沿って、図３Ｃに示すよりも左側に移動している。これは、旅行のタイムラインに沿う、さらに別の時間の遷移に対応している。図３Ｃでは、ユーザは、２００７年６月８日にカリフォルニア州アナハイムにいた。図３Ｄでは、時間は、２００７年６月１１日午前１１：２０であり、ユーザはカリフォルニア州アナハイムのディズニーランドに移動している。カリフォルニア州のビューからアナハイムのディズニーランドのニューへと地図３１０の倍率が大きくなっている。メディアプレビューウィンドウ３３０を更新して、アナハイムで取り込まれたメディアが提示される。位置インジケータ３１８は、軌跡３１４上をアナハイムまで移動している。初期設定のまたはユーザ選択された画像をメディア閲覧ウィンドウ３３３に表示する。
【００３９】
図４は、第２の実施形態によるグラフィカルユーザインターフェースを示す。図４では、スライドバー４１６は、選択された開始点４１９ａおよび選択された終了点４１９ｂを有する。グラフィカルユーザインターフェースのユーザは、スライドバー４１６に沿って、任意の開始点または終了点を選択することができる。開始点４１９ａは、一般に、終了点４１９ｂよりも左側つまり手前にある。軌跡４１４は、特定された開始点４１９ａと終了点４１９ｂとの間で取り込まれたメディアの位置を表示する。開始点４１９ａと終了点４１９ｂとの間で取り込まれたメディアのプレビューまたはサムネイルがプレビューウィンドウ４３０に表示される。開始点４１９ａに関する時間および終了点４１９ｂに関する時間を時間情報バー４２０に表示する。開始点４１９ａと終了点４１９ｂとの間で取り込まれたメディアの位置を位置情報バー４２１に表示する。代替実施形態では、開始点４１９ａと終了点４１９ｂとの間で取り込まれたメディアが複数の位置にまたがる場合、複数の位置が位置情報バー４２１に表示される。たとえば、ユーザが２００７年６月１日を開始点として、２００７年６月５日を終了点として選択し、その間にユーザがカリフォルニアからフロリダまで旅行した場合、位置情報バーは「カリフォルニア、フロリダ」と表示する。
【００４０】
図５は、第３の実施形態によるグラフィカルユーザインターフェースを示す。図５では、カレンダー５４０および時計５４１が選択された時間を示す。カレンダー５４０および時計５４１によって選択された時間は２００７年６月２日午後５：０５であり、時間情報バー５２１に表示される。地図５１０は軌跡５１４を表示し、位置インジケータ５１８は選択された時間にメディアが取り込まれた位置を反映する。位置情報バー５２１は、メディアが取り込まれた位置を表示する。メディアプレビューウィンドウ５３０を更新して、選択された時間に対応する位置で取り込まれたメディアが提示される。初期設定のまたはユーザ選択された画像をメディア閲覧ウィンドウ５３３に選択する。
【００４１】
図６は、第４の実施形態によるグラフィカルユーザインターフェースを示す。スライダ６１７は、タイムラインを示すスライドバー６１６に選択された時間を示す。地図６１０は、タイムラインに関する軌跡６１４を表示し、位置インジケータ６１８は選択された時間にメディアが取り込まれた位置を反映する。位置情報バー６２１は、メディアが取り込まれた位置を表示する。メディアプレビューウィンドウ６３０を更新して、選択された時間に対応する位置で取り込まれたメディアが提示される。この実施形態では、閲覧または提示のために選択されたメディアは、音声メディアである。音声メディアは、様々なフォーマットで音声ファイルを含むことができ、あるいはデジタルカメラまたは音声レコーダなどのメディアキャプチャデバイスによって取り込まれた音声記録を含んでもよい。選択された音声ファイルを、ボタン６７２〜６８１を用いて提示する。イコライザ６７１は、音声メディアのグラフィック表現であり、音声メディア中の音の周波数および振幅を表すことができる。代替実施形態では、波形図またはフラクタル図のなど、その他のグラフィック表現を使用してもよい。ボタン６７２は音声メディアを巻き戻す。ボタン６７３は音声メディアを再生する。ボタン６７４は音声メディアの再生を一時停止する。ボタン６７５は音声メディアを早送りする。時間バー６７６は音声メディアの総時間数を示す。時間インジケータ６７７は音声メディア再生時の現在の位置を示す。ユーザは、時間インジケータ６７７をスライドさせて、音声メディア内の様々な位置へ移動させることができる。ボタン６７８は、音声メディア再生時の音量を上げる。ボタン６７９は、音声メディア再生時の音量を下げる。音量バー６８０は、音声メディア再生時の現在の音量を示す。他の実施形態は、別個のアプリケーションを実行して、選択された音声メディアを提示または再生してもよい。たとえば、Ｗｉｎａｍｐを実行して、デジタルカメラによって取り込まれた選択された音声記録を再生することができる。
【００４２】
図７は、第５の実施形態によるグラフィカルユーザインターフェースを示す。スライダ７１７は、タイムラインを示すスライドバー７１６上で、選択された時間を示す。地図７１０はタイムラインに関する軌跡７１４を表示し、位置インジケータ７１８は選択された時間にメディアが取り込まれた位置を反映する。位置情報バー７２１は、メディアが取り込まれた位置を表示する。メディアプレビューウィンドウ７３０を更新して、選択された時間に対応する位置で取り込まれたメディアが提示されている。この実施形態では、閲覧または提示のために選択されたメディアは映像メディアである。映像メディアは、様々なフォーマットの映像ファイルを含むことができ、デジタルカメラまたはビデオカメラなどのメディアキャプチャデバイスによって取り込まれた映像記録を含んでもよい。選択された映像ファイルは、ボタン７７２〜７８１を使用して提示または再生する。映像ビューワは、ビデオスクリーン７７１で閲覧される。ボタン７７２は映像メディアを巻き戻す。ボタン７７３は映像メディアを再生する。ボタン７７４は映像メディアの再生を一時停止する。ボタン７７５は映像メディアを早送りする。時間バー７７６は、映像メディアの総時間数を示す。時間インジケータ７７７は、映像メディア再生時の現在の位置を示す。ユーザは、時間インジケータ７７７をスライドさせて、映像メディア内の様々な位置に移動させることができる。ボタン７７８は、映像メディア再生時の音量を上げる。ボタン７７９は、映像メディア再生時の音量を下げる。音量バー７８０は、映像メディア再生時の現在の音量を示す。他の実施形態では、別個のアプリケーションを実行して、選択された映像メディアを提示または再生してもよい。たとえば、Ｗｉｎｄｏｗｓ（登録商標）  Ｍｅｄｉａ  Ｐｌａｙｅｒを実行して、デジタルカメラによって取り込まれた選択された映像記録を再生することができる
【００４３】
図８Ａは、メディア８００にアクセスするためのプロセスの実施形態のフローチャートである。この実施例では、ユーザは、メディアにアクセスするために、図１Ａ〜１Ｂに示すシステムのようなシステムを使用している。ユーザは、「ロケーションアウェア（ｌｏｃａｔｉｏｎ  ａｗａｒｅ）」なメディアキャプチャデバイスを使用して、予めメディアを取り込んでいる。取り込まれたメディアは、キャプチャデバイスによって提供された時間および位置情報に関連付けられる。
【００４４】
プロセスは開始ブロック８０４から始まり、ブロック８０８に進む。ブロック８０８で、システムはユーザ入力を受け取る。ユーザ入力は、地図上の対象となる地点を閲覧または選択するための時間選択およびメディア選択を含む。次に、ブロック８１２で、ユーザ入力を分析して、ユーザが時間を選択したかどうかを判定する。ユーザが時間を未選択の場合、プロセスはブロック８０８に戻り、ユーザ入力が行われるまで待機する。図３Ａを参照すると、ユーザがスライダ３１７を移動させると、このユーザ入力はブロック８０８で受け入れられ、ブロック８１２で処理される。次いで、プロセスはブロック８１６に進み、地図および軌跡が表示される。表示される地図および軌跡は、図３Ａで図示し説明するように、ユーザが選択した時間に対応する。地図上に表示された軌跡は、システムによって表示されるタイムライン中にメディアが取り込まれた位置を示す。現在位置は、地図上に表示され、選択された時間に対応することができる。次いで、プロセスはブロック８２０に進み、メディアのプレビューまたはサムネイルは、図３Ａのプレビューウィンドウ３３０に示すように表示される。システムは、ブロック８２４でユーザ入力を受け取る。ユーザがメディアを閲覧または提示するためのサムネイルを選択した場合、プロセスは次いでブロック８２８に進み、図３Ａのメディア閲覧ウィンドウ３３０に示すように、選択されたメディアを表示または提示する。ユーザがメディアを未選択の場合、プロセスはブロック６７４に戻る。メディアを表示または提示した後、プロセスは終了ブロック８３２に進む。代替実施形態では、初期設定のメディアを表示してもよく、ユーザは特定のメディアを選択しなくてもよい。
【００４５】
図８Ｂは、メディアにアクセスするためのプロセスの他の実施形態のフローチャートである。この実施例では、ユーザは、予め保存したメディアにアクセスしようとしている。ユーザは、図１Ｂに示すようなシステムを使用しても、パーソナルコンピュータを使用してもよい。ユーザは、ロケーションアウェアなメディアキャプチャデバイスを使用して予め取り込んだメディアを有している。取り込まれたメディアは、メディアキャプチャデバイスによって提供された位置情報と関連付けられる。
【００４６】
プロセスは、開始ブロック８５４から始まり、ブロック８５８に進む。ブロック８５８で、システムは、ユーザ入力を受け取る。ユーザ入力は、地図上の対象となる地点を閲覧または選択するための時間選択およびメディア選択を含む。次に、ブロック８６２で、ユーザ入力を分析して、ユーザが開始時間を選択したかどうかを判定する。ユーザが開始時間を未選択の場合、プロセスはブロック８５８に戻り、ユーザ入力が行われるまで待機する。ユーザが開始時間を選択済みの場合、プロセスは次いでブロック８６６に進む。ユーザが終了時間を未選択の場合、プロセスはブロック８５８に戻る。ユーザが終了時間を選択済みの場合、プロセスはブロック８７０に進む。図４を参照すると、ユーザが開始時間４１９ａおよび終了時間４１９ｂを選択すると、その入力はブロック８５８で受け取られ、ブロック８６２およびブロック８６６で処理される。ブロック８７０で、地図および軌跡が表示される。表示される地図および軌跡は、図４で図示され説明されるように、ユーザが選択した時間に対応する。地図上に表示された軌跡は、ユーザが選択した時間範囲中にメディアが取り込まれた位置を示す。プロセスは次いで、ブロック８７４に進み、図４のプレビューウィンドウ４３０に示すようにメディアのプレビューまたはサムネイルを表示する。システムは、ブロック８７８でユーザ入力を受け取る。ユーザがメディアを閲覧または提示するためのサムネイルを選択する場合、プロセスは次いでブロック８８２に進み、図４のメディア閲覧ウィンドウ４３０に示すように、選択されたメディアを表示または提示する。メディアを表示または提示した後、プロセスは終了ブロック８８６に進む。代替実施形態では、初期設定のメディアを表示してもよく、ユーザは特定のメディアを選択しなくてもよい。
【００４７】
一実施形態では、グラフィカルユーザインターフェースは、旅行に関連付けられた全てのメディアの「スライドショー」を表示することができる。たとえば、ユーザは、スライドショーを開始することができ、スライダはスライドバーに沿って進むことができる。スライダが所定の速度で動くにつれて、地図、軌跡および位置インジケータが更新されうる。プレビューウィンドウを更新して、スライダによって特定される時間に対応するメディアを表示することができる。メディア閲覧ウィンドウは、スライダがスライドバーに沿って進むにつれて、異なる写真に更新することができる。メディアの時間情報にしたがって、ウィンドウに表示された画像を順々に更新することができ、またプレビューウィンドウに表示された画像に対応させることができる。スライドショーの開始時間および終了時間を、図１Ａ〜１Ｂに示された入力デバイスを介してユーザが選択してもよい。たとえば、ユーザは旅行（２００７年６月２日午後４：１５に出発し、２００７年６月５日に帰宅して終了）を特定することができる。
【００４８】
他の実施形態では、ユーザは手動で、メディアを選択し、選択されたメディアを旅行に関連付けることができる。たとえば、ユーザのメディアは、過去５年間というような長い時間範囲にわたって取り込まれている。一方、過去５年間に、ユーザは５回、別個の旅行をしている。１つの地図に全ての旅行を表示し、かつ１つのスライドバーを使用して５年間を示すのではなく、ユーザは、メディアを５回の旅行のうち１つと関連付けることができる。ユーザのメディアを閲覧するとき、ユーザは旅行を選択することができ、グラフィカルユーザインターフェースは、正しい地図、スライドバー上の時間選択、およびその旅行に関連付けられたメディアに更新されることになる。この実施形態では、ユーザは、旅行に関して、手動で選択されたメディアを使用して、スライドショーを作ることが可能になる。
【００４９】
他の実施形態は、ユーザは、「スライドショーのパッケージ」を他のユーザに送信することができる。たとえば、ユーザは、スライドショーの開始時間および終了時間を選択することができる。システムは、開始時間と終了時間の間に取り込まれた全てのメディアを集めることができる。次いで、そのメディアを組み合わせてパッケージにし、そのパッケージを第２のユーザに送信する。第２のユーザは、本明細書に記載されたシステムおよび方法を使用して、メディアのパッケージを閲覧することができる。これにより、取り込まれたメディアに相関する自然でストーリーベースの形式で、ユーザが簡単に自分のメディアを他のユーザと共有し、メディアを提示することが可能となる。
【００５０】
上述の方法は、コンピュータ可読記録媒体に保存されるプログラム内で実現することができる。コンピュータ可読記録媒体にはコンピュータ可読データを保存するための任意の種類の記録デバイス、たとえばＣＤ−ＲＯＭ、ＤＶＤ、磁気テープ、メモリカードおよびディスクが含まれる。また、上述の方法は、搬送波形式（たとえば、インターネット伝送またＢｌｕｅｔｏｏｔｈ伝送）で実現することもできる。
【００５１】
特定のブロック、セクション、デバイス、機能およびモジュールについて説明してきたが、本願のシステムを分割する方法が存在し、上記で列挙したものに置換しうる多くの部品、コンポーネント、モジュールまたは関数が存在することは、当業者であれば想起するであろう。
【００５２】
上記の詳細な説明は、様々な実施形態に適用される本発明の基本的で新規な特徴を図示し、記載し、指摘したが、本発明の趣旨から逸脱することなく、当業者により、説明した本願のシステムの形態および細部において、様々な省略、置換および変更を行いうることが理解されるであろう。
【図１Ａ】
2010079892.tif 000003
【図１Ｂ】
2010079892.tif 000004
【図１Ｃ】
2010079892.tif 000005
【図１Ｄ】
2010079892.tif 000006
【図１Ｅ】
2010079892.tif 000007
【図２Ａ】
2010079892.tif 000008
【図２Ｂ】
2010079892.tif 000009
【図２Ｃ】
2010079892.tif 000010
【図２Ｄ】
2010079892.tif 000011
【図３Ａ】
2010079892.tif 000012
【図３Ｂ】
2010079892.tif 000013
【図３Ｃ】
2010079892.tif 000014
【図３Ｄ】
2010079892.tif 000015
【図４】
2010079892.tif 000016
【図５】
2010079892.tif 000017
【図６】
2010079892.tif 000018
【図７】
2010079892.tif 000019
【図８Ａ】
2010079892.tif 000020
【図８Ｂ】
2010079892.tif 000021
【外国語明細書】
2010079892000001.pdf